(57)【要約】      （修正有）【課題】洗浄槽の前方の正面を構成した正面部に配置され、洗浄槽を引き出す動作を指令する接触スイッチ部の取り付け位置を、正面部において前後及び上下方向に位置変更自在とし、食器洗浄機のデザインの多様化に対応可能とする。【解決手段】食器洗浄機の前方の正面は、第１化粧板６ａと第２化粧板７ａとで構成され、両者の間の第１隙間４には、洗浄槽を引き出す動作を指令する接触スイッチ部９が配置される。接触スイッチ部９の取り付け位置を、例えばＢ方向に移動させたい場合には、間隔調整部材４３の数を減らすことによって可能となる。また操作スイッチ部９が取り付けられた取付部材４０は、上下方向の長孔によって洗浄槽に固定される構造であるため、Ｕ方向あるいはＤ方向にずらして固定することが可能である。【選択図】図１１
2020081071.tif 000002
【特許請求の範囲】
【請求項１】
上部が開口した洗浄槽を前後方向に出し入れ自在に備える食器洗浄機であって、
前記洗浄槽を移動させる移動部と、
前記洗浄槽の前面側に取り付けられ、前記洗浄槽の前方の正面を構成した正面部と、
前記正面部に配置され、前記移動部に前記洗浄槽を引き出す動作を指令する接触スイッチ部と、
を備え、
前記接触スイッチ部は、前記正面部において前後及び上下に位置変更自在に取り付けられる食器洗浄機。
【請求項２】
前記正面部は、隙間を隔てて上下に分割配置された第１意匠面部及び第２意匠面部を有し、
前記接触スイッチ部を取り付けて前記第１意匠面部と前記第２意匠面部との間に配置されるとともに、前記第１意匠面部及び前記第２意匠面部より後方の前記洗浄槽側に配置された取付部材を備え、
前記接触スイッチ部は、前記取付部材に対して前後に位置変更自在に取り付けられ、
前記取付部材は、前記洗浄槽に対して上下に位置変更自在に取り付けられる請求項１に記載の食器洗浄機。
【請求項３】
前記第１意匠面部及び前記第２意匠面部は、前記洗浄槽にそれぞれ固定される請求項２に記載の食器洗浄機。
【請求項４】
前記取付部材は、前記第１意匠面部及び前記第２意匠面部に対する固定箇所を上下方向に異なって複数有し、
前記取付部材を複数の前記固定箇所のうちの任意の選択箇所にて、前記第１意匠面部及び前記第２意匠面部に対してそれぞれ固定する固定部材を備える請求項３に記載の食器洗浄機。
【請求項５】
複数の前記固定箇所は、上下方向に長い長孔である請求項４に記載の食器洗浄機。
【請求項６】
複数の前記固定箇所は、上下方向に並んだ複数の孔である請求項４に記載の食器洗浄機。
【請求項７】
複数の前記固定箇所は、上下方向に複数形成されて前記固定部材の固定される第１孔径と前記第１孔径よりも大きさが小さい第２孔径とを交互に連続させた孔である請求項４に記載の食器洗浄機。
【請求項８】
前記接触スイッチ部と前記取付部材との間に間隔調整部材を有する請求項２〜請求項７のいずれか１項に記載の食器洗浄機。
【請求項９】
前記接触スイッチ部と前記取付部材との間に付勢部材を有する請求項２〜請求項８のいずれか１項に記載の食器洗浄機。
【請求項１０】
前記第１意匠面部と前記第２意匠面部とは、横方向に延伸する境界部を隔てて上下方向に分割され、
前記接触スイッチ部は、前記境界部に配置される請求項２〜請求項９のいずれか１項に記載の食器洗浄機。
【請求項１１】
前記境界部は、当該食器洗浄機が配置されるシステムキッチンの隣接ユニットの隣接境界部と上下方向の幅及び高さが同じである請求項１０に記載の食器洗浄機。
【請求項１２】
前記第１意匠面部及び前記第２意匠面部は、前記第１意匠面部の前面及び前記第２意匠面部の前面と前記隣接ユニットの前面とが面一になる厚みを有し、
前記接触スイッチ部は、前記境界部にて、前記第１意匠面部及び前記第２意匠面部の厚みに応じて前記第１意匠面部及び前記第２意匠面部と面一に突出するように前記取付部材から前後方向に位置調整される請求項１１に記載の食器洗浄機。
【発明の詳細な説明】
【技術分野】
【０００１】
本発明は、上部が開口した洗浄槽を前後方向に引き出し自在に備える食器洗浄機に関する。
【背景技術】
【０００２】
上部が開口した洗浄槽を前後方向に引き出し自在に備える食器洗浄機が知られている（たとえば、特許文献１参照）。特許文献１に記載の食器洗浄機では、前方の正面部である扉体に操作部が無い構成である。そして、操作部が扉体に無くても、駆動装置によって自動で洗浄槽が引き出せ、多様化するシステムキッチンのデザインに容易に適応できるとされている。この食器洗浄機では、使用者の扉体へのノックを検知することにより、扉体が開けられる。
【先行技術文献】
【特許文献】
【０００３】
【特許文献１】特開２０１８−９４４１４号公報
【発明の概要】
【発明が解決しようとする課題】
【０００４】
しかしながら、特許文献１に記載の食器洗浄機では、近年のデザインが多様化するシステムキッチンに適応させるために、前方の正面部の化粧板の厚み又は上下方向の寸法など、部品を変更させる必要がある。前方の正面部の化粧板の厚み又は上下方向の寸法などが変更されると、洗浄槽を引き出す使用者のノックの検知感度及び検知領域を調整する必要が生じ、食器洗浄機の製造工数が増加する課題があった。また、前方の正面部の化粧板の厚みが厚い場合には、使用者が強くノックする必要が生じ、ノック時に使用者の手に負担がかかる課題があった。
【０００５】
本発明は、上記課題を解決するためのものであり、前方の正面部の厚み又は上下方向の寸法などが変更されても変更する部品の増加が抑制でき、製造工数の増加が抑制できるとともに、洗浄槽を自動的に引き出す操作が容易である食器洗浄機を得ることを目的とする。
【課題を解決するための手段】
【０００６】
本発明に係る食器洗浄機は、上部が開口した洗浄槽を前後方向に出し入れ自在に備える食器洗浄機であって、前記洗浄槽を移動させる移動部と、前記洗浄槽の前面側に取り付けられ、前記洗浄槽の前方の正面を構成した正面部と、前記正面部に配置され、前記移動部に前記洗浄槽を引き出す動作を指令する接触スイッチ部と、を備え、前記接触スイッチ部は、前記正面部において前後及び上下に位置変更自在に取り付けられるものである。
【発明の効果】
【０００７】
本発明に係る食器洗浄機によれば、接触スイッチ部は、正面部において前後及び上下に位置変更自在に取り付けられる。これにより、近年のデザインが多様化するシステムキッチンに適応させて前方の正面部を構成する部材の厚み又は上下方向の寸法などが変更されても、接触スイッチ部が正面部に対して前後及び上下に位置変更され、変更する部品の増加を抑制できる食器洗浄機が容易に製造できる。また、接触スイッチ部が正面部に配置され、使用者が接触スイッチ部に触れることにより、洗浄槽を引き出す操作が指令できる。したがって、前方の正面部の厚み又は上下方向の寸法などが変更されても変更する部品の増加が抑制でき、製造工数の増加が抑制できるとともに、洗浄槽を自動的に引き出す操作が容易である。
【図面の簡単な説明】
【０００８】
【図１】本発明の実施の形態１に係る食器洗浄機が収納された状態のシステムキッチンを示す外観斜視図である。
【図２】本発明の実施の形態１に係る食器洗浄機の洗浄槽を引き出した状態のシステムキッチンを示す外観斜視図である。
【図３】本発明の実施の形態１に係る食器洗浄機がシステムキッチンに収納された状態を示す食器洗浄機及びその周辺のシステムキッチンの一部の正面図である。
【図４】本発明の実施の形態１に係る食器洗浄機の洗浄槽が本体に収納された状態を示す斜視図である。
【図５】本発明の実施の形態１に係る食器洗浄機の洗浄槽を本体から引き出した状態を示す斜視図である。
【図６】本発明の実施の形態１に係る食器洗浄機の機能を示す機能ブロック図である。
【図７】本発明の実施の形態１に係る食器洗浄機の制御部を示すブロック図である。
【図８】本発明の実施の形態１に係る食器洗浄機の第１化粧板及び第２化粧板を外した状態の正面部を示す正面図である。
【図９】本発明の実施の形態１に係る食器洗浄機の取付部材を示す正面図である。
【図１０】本発明の実施の形態１に係る食器洗浄機の取付部材を示す分解斜視図である。
【図１１】本発明の実施の形態１に係る食器洗浄機の第１化粧板及び第２化粧板を取り付けた状態における取付部材を図９のＡ−Ａ線の断面にて示す断面図である。
【図１２】本発明の実施の形態１に係る食器洗浄機の接触スイッチ部を前後方向に位置移動させる取付部材を図９のＡ−Ａ線の断面にて示す断面図である。
【図１３】本発明の実施の形態１に係る食器洗浄機において、第１化粧板及び第２化粧板を外した状態の正面部を示す正面図である。
【図１４】本発明の実施の形態１に係る食器洗浄機において、接触スイッチ部を上下方向に位置移動させる第１化粧板及び第２化粧板を取り付けた状態の正面部を示す正面図である。
【図１５】本発明の実施の形態１の変形例１に係る食器洗浄機の取付部材を示す正面図である。
【図１６】本発明の実施の形態１の変形例２に係る食器洗浄機の取付部材を示す正面図である。
【図１７】本発明の実施の形態１の変形例３に係る食器洗浄機の取付部材を示す断面図である。
【発明を実施するための形態】
【０００９】
以下、図面に基づいて本発明の実施の形態について説明する。なお、各図において、同一の符号を付したものは、同一の又はこれに相当するものであり、これは明細書の全文において共通している。また、断面図の図面においては、視認性に鑑みて適宜ハッチングを省略している。さらに、明細書全文に示す構成要素の形態は、あくまで例示であってこれらの記載に限定されるものではない。
【００１０】
実施の形態１．
＜システムキッチン１００の全体構成＞
図１は、本発明の実施の形態１に係る食器洗浄機１が収納された状態のシステムキッチン１００を示す外観斜視図である。図２は、本発明の実施の形態１に係る食器洗浄機１の洗浄槽２を引き出した状態のシステムキッチン１００を示す外観斜視図である。
【００１１】
図１及び図２に示すように、システムキッチン１００は、食器洗浄機１を備える。システムキッチン１００は、図示しない加熱調理器及びシンクを備えても良い。食器洗浄機１、加熱調理器及びシンクなどは、一体化したユニットに形成されている。システムキッチン１００は、キッチンの小物を収納する引き出し１０１と、鍋又はフライパンなどを収納する収納庫１０２と、を備える。引き出し１０１は、収納庫１０２の上方Ｕに配置されている。
【００１２】
食器洗浄機１は、食後の汚れた食器を洗浄する。食器洗浄機１の上方Ｕに平面部１０３が形成され、まな板などが載置される。図１及び図２では、平面部１０３は、食器洗浄機１の左方Ｌ及び右方Ｒの両側の引き出し１０１上にも形成されている。
【００１３】
図示しない加熱調理器は、食器洗浄機１の隣などに配置されている。加熱調理器は、載置面にて誘導加熱コイルによって鍋又はフライパンなどを誘導加熱する。加熱調理器は、載置面の下方Ｄである内部に魚などを焼くグリルを内蔵している。
【００１４】
シンクは、食器洗浄機１の隣などに配置されている。シンクは、キッチン水栓の蛇口から水を流す水槽状のユニットである。
【００１５】
図２及び後述する図５に示すように、食器洗浄機１は、直方体形状の本体３で区画されたユニットである。食器洗浄機１は、本体３から前方Ｆに洗浄槽２を引き出し自在である。前方Ｆ又は後方Ｂに移動自在な引き出し式の洗浄槽２は、上部が開口されている。洗浄槽２には、上部の開口から洗浄槽２内に食後の汚れた食器が並べられ、洗浄される。
【００１６】
＜食器洗浄機１の外観構成＞
図３は、本発明の実施の形態１に係る食器洗浄機１がシステムキッチン１００に収納された状態を示す食器洗浄機１及びその周辺のシステムキッチン１００の一部の正面図である。図３に示すように、食器洗浄機１は、洗浄槽２の前面側に取り付けられて前方Ｆの正面を構成した正面部２０を有する。正面部２０は、上下に隔てて配置された第１意匠面部６及び第２意匠面部７を有する。第１意匠面部６及び第２意匠面部７は、洗浄槽２に固定されている。
【００１７】
第１意匠面部６は、後述する図１１に示すように、第１化粧板６ａと、第１化粧板６ａの後方Ｂに配置される平板状の第１基部６ｂとを有する。第２意匠面部７は、図１１に示すように、第２化粧板７ａと、第２化粧板７ａの後方Ｂに配置される平板状の第２基部７ｂとを有する。なお、第１化粧板６ａ及び第１基部６ｂは、別体である。第１基部６ｂは、洗浄槽２に固定される。同様に、第２化粧板７ａ及び第２基部７ｂは、別体である。第２基部７ｂは、洗浄槽２に固定される。また、第１基部６ｂと第２基部７ｂとは別体で構成されている。なお、双方を一体で構成しても良い。第１化粧板６ａは、洗浄槽２に固定される。第１化粧板６ａを第１基部６ｂに固定するようにしても良い。同様に、第２化粧板７ａは、洗浄槽２に固定される。第２化粧板７ａを第２基部７ｂに固定するようにしても良い。
【００１８】
図３及び後述する図１１に示すように、洗浄槽２の前方Ｆの外側面には、水平方向に延伸する所定幅の第１隙間４及び第２隙間５を有して第１化粧板６ａ、第２化粧板７ａ及び第３化粧板８が取り付けられている。第１化粧板６ａは、第２化粧板７ａの上方Ｕに配置されている。第２化粧板７ａは、第３化粧板８の上方Ｕに配置されている。第１化粧板６ａ、第２化粧板７ａ及び第３化粧板８は、システムキッチン１００における、食器洗浄機１と隣接して配置される他の隣接ユニットの前側意匠面部と同じ色彩又は模様などの意匠が施されている。
【００１９】
第１隙間４は、第１意匠面部６の第１化粧板６ａと第２意匠面部７の第２化粧板７ａとを上下方向に分割して隔てて横方向に延伸する境界部である。第１意匠面部６と第２意匠面部７とは、第１化粧板６ａの前面及び第２化粧板７ａの前面と隣接ユニットの前面とが面一になる厚みを有する。境界部である第１隙間４は、食器洗浄機１が配置されるシステムキッチン１００の隣接ユニットの隣接境界部である第１隣接隙間１０４と上下方向の幅及び高さが同じであり、横方向に隣接して配置されている。
【００２０】
第１化粧板６ａの下端は、食器洗浄機１の左方Ｌ及び右方Ｒの両側に隣接する引き出し１０１の下端と上下方向の高さが一致する。第２化粧板７ａの上端は、食器洗浄機１の左方Ｌ及び右方Ｒの両側に隣接する収納庫１０２の上端と上下方向の高さが一致する。第１化粧板６ａと第２化粧板７ａとの間にて水平方向に延伸する境界部である第１隙間４は、食器洗浄機１に隣接する引き出し１０１と収納庫１０２との間の隣接境界部である第１隣接隙間１０４と上下方向の幅及び高さが同じであり、横方向に隣接して配置されている。第３化粧板８の上下方向長さは、食器洗浄機１の左方Ｌ及び右方Ｒの両側に隣接する収納庫１０２の下方の下部化粧板１０５の上下方向長さと一致した長さである。第２化粧板７ａと第３化粧板８との間にて水平方向に延伸する第２隙間５は、食器洗浄機１に隣接する収納庫１０２と下部化粧板１０５との間の第２隣接隙間１０６と上下方向の幅及び高さが同じであり、横方向に隣接して配置されている。これにより、食器洗浄機１は、システムキッチン１００に意匠性を損なうことなく配置されている。
【００２１】
食器洗浄機１は、正面部２０に露出し、移動部３０に洗浄槽２を引き出す動作を指令する接触スイッチ部９を有する。接触スイッチ部９は、分割された第１意匠面部６と第２意匠面部７との間の境界部である第１隙間４に配置されている。接触スイッチ部９は、第１隙間４の中央部にて、洗浄槽２を自動的に引き出す開動作を使用者が手指を触れて指令するように配置されている。接触スイッチ部９は、静電スイッチなどで構成されている。接触スイッチ部９は、第１隙間４の範囲内に上下方向長さを有するとともに、第１隙間４の範囲内に横方向長さを有する。
【００２２】
後述するように、接触スイッチ部９は、取付部材４０に取り付けられ、第１隙間４に配置されている。取付部材４０に取り付けられた接触スイッチ部９は、正面部２０において前後及び上下に位置変更自在に配置される。
【００２３】
使用者は、接触スイッチ部９に手指を触れることにより、洗浄槽２が自動的に前方Ｆへ移動し、本体３から引き出される。接触スイッチ部９の前端は、図１１に示すように第１化粧板６ａの前面及び第２化粧板７ａの前面と面一に第１隙間４に配置されている。これにより、使用者が目視せずに手指を第１隙間４に沿って移動させることにより、手指が接触スイッチ部９の前端に触れられる。したがって、視力障碍者も容易に洗浄槽２を引き出せる。
【００２４】
第１隙間４内において、食器洗浄機１の接触スイッチ部９の左方Ｌには、排気口１０が形成されている。排気口１０は、第１隙間４の高さ方向の幅の範囲内に上下方向の長さを有するとともに、第１隙間４の横幅の一部の範囲内に横方向の長さを有する。排気口１０は、食器洗浄機１の洗浄槽２からの排気を室内に排出する。
【００２５】
図４は、本発明の実施の形態１に係る食器洗浄機１の洗浄槽２が本体３に収納された状態を示す斜視図である。図５は、本発明の実施の形態１に係る食器洗浄機１の洗浄槽２を本体３から引き出した状態を示す斜視図である。図４及び図５に示すように、食器洗浄機１は、上部が開口した洗浄槽２が本体３から前方Ｆ又は後方Ｂに出し入れ自在に構成されている。なお、食器洗浄機１は、システムキッチン１００に搭載されるだけでなく、単体でも使用できる。
【００２６】
＜食器洗浄機１の内部構成＞
図６は、本発明の実施の形態１に係る食器洗浄機１の機能を示す機能ブロック図である。図６に示すように、食器洗浄機１は、制御部３１と、接触スイッチ部９と、移動部３０と、操作部３２と、表示部３３と、報知部３４と、加熱ヒータ３５と、洗浄ポンプ３６と、送風ファン３７と、乾燥ヒータ３８とを有する。
【００２７】
移動部３０は、後述する制御部３１の指令によって洗浄槽２を本体３に対して前後方向に移動させる。移動部３０は、駆動源及び移動機構などから構成され、食器洗浄機１の第３化粧板８の後方Ｂの裏側内部空間などに配置されている。操作部３２は、搭載されたスイッチ類に使用者が触れることによって操作情報の各種指令を入力する。入力された操作指令は、制御部３１に出力される。表示部３３は、制御部３１の指令によって食器洗浄機１の各種情報を表示する。操作部３２及び表示部３３は、図示しない正面部２０の上側縁部である上面部などに設けられている。報知部３４は、制御部３１の指令によって洗浄槽２の引き出し開始の合図などをブザー、アナウンス又は表示などを用いて報知する。報知部３４の表示は、正面部２０の第１隙間４などにてＬＥＤなどを用いて発光すると良い。
【００２８】
加熱ヒータ３５は、洗浄工程にて洗浄水を加熱する。洗浄ポンプ３６は、洗浄工程及びすすぎ工程にて図示しない洗浄ノズルに供給する洗浄水を圧送する。送風ファン３７は、食器洗浄機１の使用時に洗浄槽２内の空気及び水蒸気を排気口１０から排出するように送風する。乾燥ヒータ３８は、乾燥工程にて洗浄槽２内に導入される外気を加熱して食器類を乾燥させる。
【００２９】
＜制御部３１＞
図７は、本発明の実施の形態１に係る食器洗浄機１の制御部３１を示すブロック図である。図７に示す制御部３１は、接触スイッチ部９、移動部３０、操作部３２、表示部３３、報知部３４、加熱ヒータ３５、洗浄ポンプ３６、送風ファン３７及び乾燥ヒータ３８の制御を担う。制御部３１は、ＣＰＵ、ＲＯＭ及びＲＡＭなどのメモリ並びにＩ／Ｏポートなどの入出力装置を備えたマイコンを有した処理回路である。
【００３０】
＜食器洗浄機１の動作＞
汚れた食器を洗浄する場合には、使用者が接触スイッチ部９に手指を触れる。これにより、食器洗浄機１は、制御部３１から開動作を指令された移動部３０によって、自動的に洗浄槽２を本体３から洗浄槽２の上部の開口を食器洗浄機１の外部に最大に露出させるように前方Ｆに引き出す。洗浄槽２の引き出し開始時には、報知部３４が合図を報知する。そして、使用者は、洗浄槽２内に汚れた食器類を並べる。食器類が並べ終わると、使用者は、洗浄槽２内の洗浄水に洗剤を投入する。次に、使用者は、操作部３２のスタートスイッチをＯＮする。洗浄開始の合図は、表示部３３に表示される。
【００３１】
次に、使用者は、たとえば第１化粧板６ａを手で押して洗浄槽２を本体３内に押し込む。このとき、使用者の洗浄槽２を押し込む動作の途中からは、食器洗浄機１が移動部３０によって自動的に閉動作を実行しても良い。あるいは、使用者は、完全に洗浄槽２が引き出された食器洗浄機１の接触スイッチ部９に手指を触れる。これにより、接触スイッチ部９からの閉動作の指令によって、食器洗浄機１は、移動部３０によって自動的に閉動作を実行しても良い。このとき、洗浄槽２の閉動作開始の合図が報知部３４によって報知される。そして、食器洗浄機１は、洗浄槽２の本体３内への閉動作が完了すると、洗浄工程を実施する。
【００３２】
洗浄工程では、給水弁が開弁され、洗浄槽２内に洗浄水が給水される。そして、水量センサが所定量の洗浄水の給水を検知すると、給水弁が閉弁される。次に、加熱ヒータ３５が通電され、洗浄水が所望の温度に加熱される。そして、洗浄ポンプ３６が駆動され、温水化した洗浄水が洗浄ノズルに圧送され、洗浄ノズルのノズル孔から斜め上方などに向けて洗浄水が噴射され、食器類が洗浄される。このとき、洗浄ノズルは、洗浄水の噴射による反力によって回転する。これにより、洗浄槽２内に並べられた食器類に万遍なく洗浄水が噴射される。洗浄槽２内に噴射された洗浄水は、落下して洗浄槽２内の下部に集まり、再び洗浄ノズルから噴射される。この循環が繰り返される。なお、洗浄工程では、洗浄槽２が本体３内に収納されているので、洗浄水が洗浄槽２外に飛散することはない。
【００３３】
所定時間経過すると、制御部３１により、加熱ヒータ３５及び洗浄ポンプ３６への通電が停止する。また、制御部３１は、図示しない排水ポンプへの通電も制御する。制御部３１によって通電が開始された排水ポンプが駆動され、洗浄槽２内の洗浄後の洗浄水が外部に排出される。
【００３４】
洗浄後の洗浄水の排水が終わると、制御部３１が排水ポンプへの通電を停止し、給水弁が開弁され、新たな洗浄水が洗浄槽２内に給水される。以後、上述した洗浄工程と同様の動作によって食器類のすすぎ洗いが行われ、所定時間のすすぎ洗いが終わると、すすぎ洗いに用いた洗浄水が排水される。このようなすすぎ洗いと排水とが数回繰り返される。この繰り返しがすすぎ工程となっている。このとき、図示しないリンスタンクからリンスが供給されてすすぎ洗い用の洗浄水に加えられるようにしても良い。リンス剤が洗浄水に加えられると、後述する乾燥工程において、食器類が綺麗な状態で乾燥できる。
【００３５】
すすぎ工程が終了すると、制御部３１によって送風ファン３７及び乾燥ヒータ３８が通電され、洗浄槽２内に外気が導入される。外気は、乾燥ヒータ３８で加熱されて温風となり、洗浄槽２内に送られて食器及び洗浄槽２の内部全体を乾燥させる。乾燥に用いた温風は、排気口１０から食器洗浄機１の外部に排出される。この工程が乾燥工程となる。
【００３６】
乾燥工程が所定時間経過すると、制御部３１によって送風ファン３７及び乾燥ヒータ３８への通電が停止され、乾燥工程が終了する。これにより、食器類の洗浄、すすぎ及び乾燥が完了する。なお、これら一連の動作は、制御部３１のマイクロコンピュータに設定されたプログラムに従って自動的に行われる。
【００３７】
食器類を取り出す場合には、使用者は、制御部３１から指令された報知部３４による食器洗浄機１の洗浄完了のアナウンス、ブザー又は表示などの報知を確認し、接触スイッチ部９に手指を触れる。これにより、食器洗浄機１は、制御部３１から開動作を指令された移動部３０によって自動的に洗浄槽２を本体３から前方Ｆに引き出す。その後、使用者は、本体３から引き出された洗浄槽２の上部の開口から食器類を取り出す。
【００３８】
＜正面部２０の構成＞
図８は、本発明の実施の形態１に係る食器洗浄機１の第１化粧板６ａ及び第２化粧板７ａを外した状態の正面部２０を示す正面図である。図８は、紙面上側が前方Ｆであり、紙面下側が後方Ｂである。図３に示すように、正面部２０は、第１隙間４を隔てて上下に配置された第１意匠面部６及び第２意匠面部７を有する。図８は、第１意匠面部６及び第２意匠面部７のうち、第１化粧板６ａ及び第２化粧板７ａが取り外され、第１基部６ｂ及び第２基部７ｂが表示されている。
【００３９】
正面部２０には、第１隙間４である第１意匠面部６と第２意匠面部７との間に接触スイッチ部９を配置する取付部材４０が取り付けられている。取付部材４０は、第１意匠面部６の第１基部６ｂ及び第２意匠面部７の第２基部７ｂより後方Ｂの洗浄槽２側に配置されている。
【００４０】
詳細は後述するが、接触スイッチ部９は、取付部材４０に対して前方Ｆ及び後方Ｂに位置変更自在に取り付けられる。取付部材４０は、洗浄槽２に対して上方Ｕ及び下方Ｄに位置変更自在に取付られる。第１意匠面部６及び第２意匠面部７のそれぞれは、長孔４２にネジなどの固定部材４１をねじ込んで洗浄槽２に固定されている。
【００４１】
＜取付部材＞
図９は、本発明の実施の形態１に係る食器洗浄機１の取付部材４０を示す正面図である。図１０は、本発明の実施の形態１に係る食器洗浄機１の取付部材４０を示す分解斜視図である。図１１は、本発明の実施の形態１に係る食器洗浄機１の第１化粧板６ａ及び第２化粧板７ａを取り付けた状態における取付部材４０を図９のＡ−Ａ線の断面にて示す断面図である。
【００４２】
取付部材４０は、洗浄槽２に対する固定箇所としてネジなどが挿通される孔の位置が上下方向に変更可能に構成されている。なお、洗浄槽２に形成される被固定箇所は、位置が固定され、上下方向に変更不可の状態に形成されている。食器洗浄機１は、取付部材４０を複数の固定箇所のうちの左右方向における上下方向の一致する任意の選択箇所にて、洗浄槽２に固定するネジなどの固定部材４１を備える。固定部材４１の複数の固定箇所は、上下方向に長い長孔４２として固定位置を上下方向に変更可能に１つ構成されている。
【００４３】
食器洗浄機１は、接触スイッチ部９と取付部材４０との間に間隔調整部材４３を有する。間隔調整部材４３は、前後方向に厚みを有したスペーサなどである。間隔調整部材４３は、１以上重ねることによって取付部材４０の基本位置５１に対する接触スイッチ部９の位置を前方Ｆにずらして設置可能にする。図１０及び図１１では、間隔調整部材４３を２つ使用した例を挙げている。これにより、図１１に示すように、接触スイッチ部９の前端部は、境界部である第１隙間４にて、第１意匠面部６及び第２意匠面部７の厚みに応じて第１意匠面部６の前面及び第２意匠面部７の前面と面一に突出するように取付部材４０から前方Ｆに位置調整される。接触スイッチ部９の前端部が第１意匠面部６の前面及び第２意匠面部７の前面と面一であることにより、接触スイッチ部９の前端部が第１意匠面部６の前面及び第２意匠面部７の前面よりも突出する場合と比較して、使用者が誤って接触スイッチ部９に触れたりぶつかったりするおそれが低減できる。また、第１隙間４内に接触スイッチ部９が突出して設けられ、使用者が手指で第１隙間４に触れるだけで接触スイッチ部９を認識できる。さらに、第１隙間４内に接触スイッチ部９が目立たず配置されるので、食器洗浄機１の意匠性を損なうことが抑制される。なお、接触スイッチ部９は、取付部材４０に対して２箇所のネジなどの固定部材４７によるねじ止めによって間隔調整部材４３を挟み込んで取り付けられている。
【００４４】
＜正面部２０の詳細＞
図１２は、本発明の実施の形態１に係る食器洗浄機１の接触スイッチ部９を前後方向に位置移動させる取付部材４０を図９のＡ−Ａ線の断面にて示す断面図である。図１３は、本発明の実施の形態１に係る食器洗浄機１において、第１化粧板６ａ及び第２化粧板７ａを外した状態の正面部２０を示す正面図である。図１４は、本発明の実施の形態１に係る食器洗浄機１において、接触スイッチ部９を上下方向に位置移動させる第１化粧板６ａ及び第２化粧板７ａを取り付けた状態の正面部２０を示す正面図である。
【００４５】
図１２に示すように、間隔調整部材４３は、１以上重ねることによって取付部材４０の基本位置５１に対する接触スイッチ部９の位置を前方Ｆにずらして設置可能にする。ここでは、間隔調整部材４３は、１又は２つ重ねられる例である。しかし、間隔調整部材４３は、３以上重ねられても良い。これにより、接触スイッチ部９は、取付部材４０に対して前方Ｆ及び後方Ｂに前後方向距離５２だけ位置変更自在である。
【００４６】
図１３に示すように、取付部材４０は、洗浄槽２に対して長孔４２にネジなどの固定部材４１をねじ込んで固定されている。固定部材４１が上下方向に長い長孔４２に上下方向に固定位置をずらすことにより、図１３の実線の正面部２０から破線の正面部２０のように接触スイッチ部９を有する取付部材４０の取付位置が変更される。これにより、取付部材４０は、第１意匠面部６及び第２意匠面部７に対して上方Ｕ及び下方Ｄに上下方向距離５３だけ位置変更自在である。図１４の実線から破線の第１隙間４及び接触スイッチ部９に示すように、第１化粧板６ａ及び第２化粧板７ａをそれぞれ第１基部６ｂ及び第２基部７ｂに取り付けると、接触スイッチ部９が第１隙間４とともに上下方向に位置変更自在である。
【００４７】
以上のように、接触スイッチ部９は、正面部２０に対して前後及び上下に位置変更自在に取り付けられる。
【００４８】
＜変形例１＞
図１５は、本発明の実施の形態１の変形例１に係る食器洗浄機１の取付部材４０を示す正面図である。変形例１では、上記実施の形態と同じ事項の説明を省略し、その特徴部分だけを説明する。
【００４９】
図１５に示すように、複数の固定箇所は、上下方向にずれた複数の孔４４で構成されている。図１５では、複数の固定箇所が上下方向にずれた２つの孔４４の例を示す。しかし、これに限られず、複数の固定箇所が上下方向にずれた３以上の孔４４でも良い。複数の孔４４のうちいずれの孔４４の箇所に固定部材４１を固定するかに応じて取付部材４０の上下方向位置が変更される。
【００５０】
＜変形例２＞
図１６は、本発明の実施の形態１の変形例２に係る食器洗浄機１の取付部材４０を示す正面図である。変形例２では、上記実施の形態などと同じ事項の説明を省略し、その特徴部分だけを説明する。
【００５１】
図１６に示すように、複数の固定箇所は、上下方向に複数形成されて固定部材４１の固定される第１孔径４５ａと、第１孔径４５ａよりも大きさが小さい第２孔径４５ｂとを交互に連続させた孔４５である。孔４５は、第２孔径４５ｂの孔を第１孔径４５ａの孔に隣接して形成したときにこれらの孔が繋がって形成されている。孔４５のうちいずれの第１孔径４５ａの箇所に固定部材４１を固定するかに応じて取付部材４０の上下方向位置が変更される。第１孔径４５ａの孔が接近して形成できるので、洗浄槽２に対する取付部材４０の固定箇所の位置の上下方向の調整が細かくできる。
【００５２】
＜変形例３＞
図１７は、本発明の実施の形態１の変形例３に係る食器洗浄機１の取付部材４０を示す断面図である。変形例３では、上記実施の形態などと同じ事項の説明を省略し、その特徴部分だけを説明する。
【００５３】
図１７に示すように、食器洗浄機１は、接触スイッチ部９と取付部材４０との間にコイルバネなどの付勢部材４６を有する。付勢部材４６は、その弾性力により、接触スイッチ部９を固定部材４７から前方Ｆに付勢する。接触スイッチ部９の前後方向位置は、付勢部材４６を取り付けたネジなどの固定部材４７のねじ込み量で調整する。
【００５４】
＜実施の形態１の効果＞
実施の形態１によれば、食器洗浄機１は、上部が開口した洗浄槽２を前後方向に出し入れ自在に備える。食器洗浄機１は、洗浄槽２を移動させる移動部３０を備える。食器洗浄機１は、洗浄槽２の前面側に取り付けられ、洗浄槽２の前方Ｆの正面を構成した正面部２０を備える。食器洗浄機１は、正面部２０に配置され、移動部３０に洗浄槽２を引き出す動作を指令する接触スイッチ部９を備える。接触スイッチ部９は、正面部２０において前後及び上下に位置変更自在に取り付けられる。
【００５５】
この構成によれば、近年のデザインが多様化するシステムキッチン１００に適応させて前方Ｆの正面部２０を構成する部材の厚み又は上下方向の寸法などが変更されても、接触スイッチ部９が正面部２０に対して前後及び上下に位置変更され、変更する部品の増加を抑制できる食器洗浄機１が容易に製造できる。つまり、システムキッチン１００のデザイン変更により第１化粧板６ａ及び第２化粧板７ａの厚さ又は上下方向の寸法が変更されても、第１基部６ｂ及び第２基部７ｂの形状と洗浄槽２への取付位置とは、変更することなく、取付部材４０に対する接触スイッチ部９の前後方向の位置と、取付部材４０の洗浄槽２に対する上下方向の取付位置とを変更するだけで対応できる。また、接触スイッチ部９が正面部２０に配置され、使用者が接触スイッチ部９に触れることにより、洗浄槽２を引き出す操作が指令でき、ノックなどではないために操作時に使用者の手が痛くならない。したがって、前方Ｆの正面部２０の厚み又は上下方向の寸法などが変更されても変更する部品の増加が抑制でき、製造工数の増加が抑制できるとともに、洗浄槽２を自動的に引き出す操作が容易である。
【００５６】
実施の形態１によれば、洗浄槽２の前面側に取り付けられた正面部２０は、隙間を隔てて上下に分割配置された第１意匠面部６及び第２意匠面部７を有する。食器洗浄機１は、接触スイッチ部９を取り付けて第１意匠面部６と第２意匠面部７との間に配置されるとともに、第１意匠面部６及び第２意匠面部７より後方Ｂの洗浄槽２側に配置された取付部材４０を備える。接触スイッチ部９は、取付部材４０に対して前後に位置変更自在に取り付けられる。取付部材４０は、洗浄槽２に対して上下に位置変更自在に取り付けられる。
【００５７】
この構成によれば、接触スイッチ部９が隙間を隔てて上下に分割配置された第１意匠面部６及び第２意匠面部７を有した正面部２０に対して前後及び上下に位置変更できる。また、接触スイッチ部９が第１意匠面部６と第２意匠面部７との間に配置できる。
【００５８】
実施の形態１によれば、第１意匠面部６及び第２意匠面部７は、洗浄槽２にそれぞれ固定されている。
【００５９】
この構成によれば、第１意匠面部６及び第２意匠面部７が接触スイッチ部９を取り付けた取付部材４０を介して洗浄槽２にそれぞれ固定できる。これにより、食器洗浄機１の正面部２０の厚み又は意匠が変化しても、正面部２０の意匠性が損なわれずに食器洗浄機１が製造できる。
【００６０】
実施の形態１によれば、取付部材４０は、第１意匠面部６及び第２意匠面部７に対する固定箇所を上下方向に異なって複数有する。食器洗浄機１は、取付部材４０を複数の固定箇所のうちの任意の選択箇所にて、第１意匠面部６及び第２意匠面部７に対してそれぞれ固定する固定部材４１を備える。
【００６１】
この構成によれば、固定部材４１が複数の固定箇所のうちの選択箇所にて取付部材４０を第１意匠面部６及び第２意匠面部７に対してそれぞれ固定できる。これにより、食器洗浄機１の正面部２０が容易に製造できる。
【００６２】
実施の形態１によれば、複数の固定箇所は、上下方向に長い長孔４２である。
【００６３】
この構成によれば、長孔４２内で固定部材４１の固定位置が調整でき、食器洗浄機１の正面部２０が容易に製造できる。
【００６４】
実施の形態１によれば、複数の固定箇所は、上下方向に並んだ複数の孔４４である。
【００６５】
この構成によれば、複数の孔４４から固定部材４１の固定位置が選択でき、食器洗浄機１の正面部２０が容易に製造できる。
【００６６】
実施の形態１によれば、複数の固定箇所は、上下方向に複数形成されて固定部材４１の固定される第１孔径４５ａと第１孔径４５ａよりも大きさが小さい第２孔径４５ｂとを交互に連続させた孔４５である。
【００６７】
この構成によれば、孔４５のうち複数の第１孔径４５ａの部分から固定部材４１の固定位置が選択でき、食器洗浄機１の正面部２０が容易に製造できる。
【００６８】
実施の形態１によれば、食器洗浄機１は、接触スイッチ部９と取付部材４０との間に間隔調整部材４３を有する。
【００６９】
この構成によれば、１以上の間隔調整部材４３の厚みによって接触スイッチ部９と取付部材４０との間の前後方向距離５２が変更できる。これにより、接触スイッチ部９が正面部２０に対して前後位置を調整できる。
【００７０】
実施の形態１によれば、食器洗浄機１は、接触スイッチ部９と取付部材４０との間にばねなどの付勢部材４６を有する。
【００７１】
この構成によれば、付勢部材４６の弾性反発力などの付勢力によって接触スイッチ部９と取付部材４０との間の前後方向距離５２が変更できる。これにより、接触スイッチ部９が正面部２０に対して前後位置を調整できる。
【００７２】
実施の形態１によれば、第１意匠面部６と第２意匠面部７とは、横方向に延伸する境界部としての第１隙間４を隔てて上下方向に分割されている。接触スイッチ部９は、第１隙間４に配置されている。
【００７３】
この構成によれば、接触スイッチ部９は、第１意匠面部６及び第２意匠面部７の意匠を損なわせない。これにより、食器洗浄機１の正面部２０の美観が向上できる。
【００７４】
実施の形態１によれば、第１隙間４は、食器洗浄機１が配置されるシステムキッチン１００の隣接ユニットの隣接境界部である第１隣接隙間１０４と上下方向の幅及び高さが同じである。
【００７５】
この構成によれば、第１隙間４が食器洗浄機１の配置されるシステムキッチン１００の隣接ユニットの第１隣接隙間１０４と統一性を持たせられる。これにより、隣接ユニットを有したシステムキッチン１００に配置された食器洗浄機１の正面部２０の美観がシステムキッチン１００として統一性を持って向上できる。
【００７６】
実施の形態１によれば、第１意匠面部６及び第２意匠面部７は、第１意匠面部６の前面及び第２意匠面部７の前面と隣接ユニットの前面とが面一になる厚みを有する。接触スイッチ部９は、第１隙間４にて、第１意匠面部６及び第２意匠面部７の厚みに応じて第１意匠面部６及び第２意匠面部７と面一に突出するように取付部材４０から前方Ｆ又は後方Ｂに位置調整されている。
【００７７】
この構成によれば、接触スイッチ部９が他の部分から突出せず、食器洗浄機１の正面部２０の美観が向上できる。また、使用者が接触スイッチ部９に誤って触れず、洗浄槽２が誤って自動的に引き出され難くなる。さらに、接触スイッチ部９が様々な状況で他物品と衝突し難く、損傷し難くなり、使用耐久性が向上できる。
【００７８】
上記実施の形態などでは、取付部材４０を第１基部６ｂ及び第２基部７ｂの後方Ｂに配置する構成としていた。しかし、取付部材４０は、第１基部６ｂ及び第２基部７ｂの前方Ｆに配置する構成でも良い。第１基部６ｂ及び第２基部７ｂは、洗浄槽２に固定されている。取付部材４０は、第１基部６ｂ及び第２基部７ｂに対し、前方側から上下方向に位置変更可能に取り付けられる。なお、第１化粧板６ａ及び第２化粧板７ａは、洗浄槽２に固定される。第１化粧板６ａを第１基部６ｂに固定し、第２化粧板７ａを第２基部７ｂに固定しても良い。システムキッチン１００のデザイン変更により、第１化粧板６ａ及び第２化粧板７ａの厚さ又は上下方向の寸法が変更されても、第１基部６ｂ及び第２基部７ｂの形状と洗浄槽２への取付位置とは、変更することなく、取付部材４０に対する接触スイッチ部９の前後方向の位置と、取付部材４０の第１基部６ｂ及び第２基部７ｂに対する上下方向の取付位置とを変更するだけで対応できる。
【符号の説明】
【００７９】
１  食器洗浄機、２  洗浄槽、３  本体、４  第１隙間、５  第２隙間、６  第１意匠面部、６ａ  第１化粧板、６ｂ  第１基部、７  第２意匠面部、７ａ  第２化粧板、７ｂ  第２基部、８  第３化粧板、９  接触スイッチ部、１０  排気口、２０  正面部、３０  移動部、３１  制御部、３２  操作部、３３  表示部、３４  報知部、３５  加熱ヒータ、３６  洗浄ポンプ、３７  送風ファン、３８  乾燥ヒータ、４０  取付部材、４１  固定部材、４２  長孔、４３  間隔調整部材、４４  孔、４５  孔、４５ａ  第１孔径、４５ｂ  第２孔径、４６  付勢部材、４７  固定部材、５１  基本位置、５２  前後方向距離、５３  上下方向距離、１００  システムキッチン、１０１  引き出し、１０２  収納庫、１０３  平面部、１０４  第１隣接隙間、１０５  下部化粧板、１０６  第２隣接隙間。
【図１】
2020081071.tif 000003
【図２】
2020081071.tif 000004
【図３】
2020081071.tif 000005
【図４】
2020081071.tif 000006
【図５】
2020081071.tif 000007
【図６】
2020081071.tif 000008
【図７】
2020081071.tif 000009
【図８】
2020081071.tif 000010
【図９】
2020081071.tif 000011
【図１０】
2020081071.tif 000012
【図１１】
2020081071.tif 000013
【図１２】
2020081071.tif 000014
【図１３】
2020081071.tif 000015
【図１４】
2020081071.tif 000016
【図１５】
2020081071.tif 000017
【図１６】
2020081071.tif 000018
【図１７】
2020081071.tif 000019